(57)【要約】 【課題】  照準望遠鏡の照準精度を安定に維持することができるように、照準の調整角度を大きくすることができると共に、軽快にズーミングを行えるズーミング機構を有する照準望遠鏡を提供する。【解決手段】  照準望遠鏡１の鏡胴２の外周に回動自在に設けたズーム環５と、該ズーム環５の内周面に備えた環状ギヤ５Ａと、該環状ギヤ５Ａと同芯に且つ前記鏡胴２の内周に回動自在に設けた円周状ギヤ６と、前記環状ギヤ５Ａと該円周状ギヤ６との間に介在して前記環状ギヤ５Ａの回動を前記円周状ギヤ６に伝動するように設けた仲介ギヤ７と、前記鏡胴２内に回動自在に備えたカム筒９に前記円周状ギヤ６の回動を伝動する伝動機構１３とからなるズーミング機構を有する照準望遠鏡。【選択図】    図１
2006010810.tif 000002
【特許請求の範囲】
【請求項１】
ズーミング機構を有する照準望遠鏡であって、該照準望遠鏡の鏡胴外周に回動自在に設けたズーム環と、該ズーム環の内周面に備えた環状ギヤと、該環状ギヤと同芯に且つ前記鏡胴内周に回動自在に設けた円周状ギヤと、前記環状ギヤと該円周状ギヤとの間に介在して前記環状ギヤの回動を前記円周状ギヤに伝動するように設けた仲介ギヤと、前記鏡胴内に回動自在に備えたカム筒に前記円周状ギヤの回動を伝動する伝動機構とからなるズーミング機構を有する照準望遠鏡。
【請求項２】
前記伝動機構が、前記カム筒に設けた溝部と、前記円周状ギヤに設けた突起部とからなり、該突起部が前記溝部に変位可能に係合してある請求項１に記載の照準望遠鏡。
【請求項３】
前記カム筒を上下又は／及び左右に偏向させて照準を調整する照準調整機構を備えた請求項１又は２に記載の照準望遠鏡。
【請求項４】
前記照準調整機構が、前記カム筒を回動自在に支持するように設けた内筒と、該内筒の外周に設けたＲ環と、Ｒ環を上下左右方向に偏向可能に支持するように設けたＲ環支持部材を有する請求項３に記載の照準望遠鏡。
【発明の詳細な説明】
【技術分野】
【０００１】
本発明は、照準望遠鏡の照準精度を安定に維持するとともに、軽快にズーミングを行えるズーミング機構を有する照準望遠鏡を提供する。
【背景技術】
【０００２】
従来、照準望遠鏡のズーミング機構においては、鏡胴の外に位置したズーム環の回動を鏡胴内に位置したカム筒に伝動させるために、鏡胴に円弧状の開口溝を設けている。しかも、この開口溝は、照準望遠鏡の光軸を中心軸として広角（例えば角度３００度前後）の円弧状に開口している。更に、この開口溝は、ズーム系レンズと接眼レンズとの間に位置し、且つ光軸と直交する方向に位置しているので、鏡胴に衝撃等の外力が作用したときに開口溝のところで強度が低下しているという問題点があった。
【０００３】
この従来の問題点を解決した照準望遠鏡としては、図６及び図７に示すように、広角の開口溝を必要としないズーミング機構を備えた照準望遠鏡が本願発明者によって提案されている（特許文献１参照）。この照準望遠鏡５１は、鏡胴５２に連結させた筒体５３にズーム環５４を装着して鏡胴５２に対し回動自在にさせるとともに、ズーム環５４の内周面に環状ギヤ５５を備え、且つ鏡胴５２内に回動自在に備えたカム筒５６の外周面に円周状ギヤ５８を設ける一方、筒体５３の小穴５９に仲介ギヤ５７を回動自在に設け、この仲介ギヤ５７を環状ギヤ５５と円周状ギヤ５８との間に介在させることにより、ズーム環５４の回動が仲介ギヤ５７を介してカム筒５６に伝達されて照準望遠鏡５１のズーミングを行うように構成している。
【特許文献１】特許第２９２０５９２号公報
【発明の開示】
【発明が解決しようとする課題】
【０００４】
しかし、特許文献１に記載の照準望遠鏡５１は、カム筒５６を偏向させて照準を調整する照準調整機構６０を有するから、照準調整時にカム筒５６を偏向させると、カム筒５６の外周面に設けた円周状ギヤ５８と仲介ギヤ５７の噛み合いが変化する。そのため、カム筒５６の偏向角度を大きく設けると、円周状ギヤ５８と仲介ギヤ５７の噛み合いがきつくなったり外れたりして軽快にズーミングを行うことができなくなる場合があり、照準の調整角度を大きくすることが困難であるという課題があった。
【０００５】
そこで、本発明は、照準望遠鏡の照準精度を安定に維持することができるように、照準の調整角度を大きくすることができると共に、軽快にズーミングを行えるズーミング機構を有する照準望遠鏡を提供するものである。
【課題を解決するための手段】
【０００６】
本発明は、上記課題を解決するために、ズーミング機構を有する照準望遠鏡であって、該照準望遠鏡の鏡胴外周に回動自在に設けたズーム環と、該ズーム環の内周面に備えた環状ギヤと、該環状ギヤと同芯に且つ前記鏡胴内周に回動自在に設けた円周状ギヤと、前記環状ギヤと該円周状ギヤとの間に介在して前記環状ギヤの回動を前記円周状ギヤに伝動するように設けた仲介ギヤと、前記鏡胴内に回動自在に備えたカム筒に前記円周状ギヤの回動を伝動する伝動機構とからなるズーミング機構を有する照準望遠鏡を提供するものである。
【０００７】
また、本発明は、前記伝動機構が、前記カム筒に設けた溝部と、前記円周状ギヤに設けた突起部とからなり、該突起部が前記溝部に変位可能に係合してある請求項１に記載の照準望遠鏡を提供するものである。
【０００８】
また、本発明は、前記カム筒を上下又は／及び左右に偏向させて照準を調整する照準調整機構を備えた請求項１又は２に記載の照準望遠鏡を提供するものである。
【０００９】
また、本発明は、前記照準調整機構が、前記カム筒を回動自在に支持するように設けた内筒と、該内筒の外周に設けたＲ環と、Ｒ環を上下左右方向に偏向可能に支持するように設けたＲ環支持部材を有する請求項３に記載の照準望遠鏡を提供するものである。
【発明の効果】
【００１０】
本発明に係る照準望遠鏡によれば、ズーミング機構を有する照準望遠鏡であって、該照準望遠鏡の鏡胴外周に回動自在に設けたズーム環と、該ズーム環の内周面に備えた環状ギヤと、該環状ギヤと同芯に且つ前記鏡胴内周に回動自在に設けた円周状ギヤと、前記環状ギヤと該円周状ギヤとの間に介在して前記環状ギヤの回動を前記円周状ギヤに伝動するように設けた仲介ギヤと、前記鏡胴内に回動自在に備えたカム筒に前記円周状ギヤの回動を伝動する伝動機構とからなるズーミング機構を有することにより、環状ギヤと円周状ギヤを同芯に設けてあるから、環状ギヤと仲介ギヤ及び仲介ギヤと円周状ギヤの噛み合いを略一定に保つことができ、略一定のトルクでズーム環を操作して円周状ギヤに回動を伝動することができる。また、伝動機構によって円周状ギヤの回動をカム筒に伝動するようにしてあるから、確実にカム筒を回動させることができ、軽快かつ確実にズーミングを行うことができる効果がある。
【００１１】
また、本発明は、前記伝動機構が、前記カム筒に設けた溝部と、前記円周状ギヤに設けた突起部とからなり、該突起部が前記溝部に変位可能に係合してある請求項１に記載の構成を有することにより、照準調整のためにカム筒を大きく偏向させた場合でも、カム筒に設けた溝部と円周状ギヤに設けた突起部とが変位可能に係合するから、円周状ギヤの回動をカム筒に確実に伝動してズーミングを行うことができる効果がある。
【００１２】
また、本発明は、前記カム筒を上下又は／及び左右に偏向させて照準を調整する照準調整機構を備えた請求項１又は２に記載の構成を有することにより、照準望遠鏡の照準精度を安定に維持することができる効果がある。
【００１３】
また、本発明は、前記照準調整機構が、前記カム筒を回動自在に支持するように設けた内筒と、該内筒の外周に設けたＲ環と、Ｒ環を上下左右方向に偏向可能に支持するように設けたＲ環支持部材を有する請求項３に記載の構成を有することにより、Ｒ環とＲ環支持部材によってカム筒を偏向可能に支持するから、カム筒を大きく偏向させることができ、近くから遠方まで照準の調整範囲を広くすることができる効果がある。
【発明を実施するための最良の形態】
【００１４】
本発明の実施の形態を図１乃至図５に示す実施例に基づいて説明する。
図中の符号１は本発明に係る照準望遠鏡であり、照準望遠鏡１のズーミング機構は、鏡胴２の外周に回動自在に設けたズーム環５と、該ズーム環５の内周面に備えた環状ギヤ５Ａと、該環状ギヤ５Ａと同芯に且つ前記鏡胴２の内周に回動自在に設けた円周状ギヤ６と、前記環状ギヤ５Ａと該円周状ギヤ６との間に介在して前記環状ギヤ５Ａの回動を前記円周状ギヤ６に伝動するように設けた仲介ギヤ７と、前記鏡胴２内に回動自在に備えたカム筒９に前記円周状ギヤ６の回動を伝動する伝動機構１３とから構成してある。
【実施例１】
【００１５】
図１及び図２に示すように、鏡胴２は、鏡胴本体２Ａと、鏡胴本体２Ａに連設した筒体２Ｂとからなる。筒体２Ｂには略十字状の小穴３を設けてあり、仲介ギヤ７はその軸を照準望遠鏡１の光軸Ｎと平行にして小穴３に横設して回動自在に設けてあり、仲介ギヤ７の歯部の一部は筒体２Ｂの外周面と内周面とから僅かに突出するように構成してある。
【００１６】
図示の実施例において、ズーム環５は、鏡胴２の筒体２Ｂの外周に回動自在に設けてある。また、環状ギヤ５Ａは、ズーム環５の内周の螺子部に螺合して設け、ギヤ押え５Ｂによってズーム環５に固設してあると共に、筒体２Ｂに設けた仲介ギヤ７と歯合してあり、ズーム環５を回転操作すると仲介ギヤ７が回動するように構成してある。
【００１７】
図１及び図２に示すように、円周状ギヤ６は、ギヤ部６Ａと、光軸Ｎ方向に延設した摺動面６Ｂと、内周方向に突設した突起部６Ｃとからなる。摺動面６Ｂは、筒体２Ｂの内周に環状ギヤ５Ａと同芯に設けた摺動面２Ｃと摺動して、円周状ギヤ６を環状ギヤ５Ａと同芯に且つ筒体２Ｂに対して回動自在に設けてある。また、円周状ギヤ６は、筒体２Ｂに設けた仲介ギヤ７と歯合してあり、仲介ギヤ７を介して環状ギヤ５Ａの回動が円周状ギヤ６に伝動するように構成してある。この構成により、環状ギヤ５Ａと円周状ギヤ６は常に同芯の状態で回動させることができ、環状ギヤ５Ａと仲介ギヤ７及び仲介ギヤ７と円周状ギヤ６の噛み合いを略一定に保つことができる。
【００１８】
図１乃至図４に示すように、鏡胴本体２Ａ内では、カム筒９を鏡胴本体２Ａに内設した内筒８に回動自在に覆設してある。カム筒９には溝部９Ｃを設けてあり、円周状ギヤ６に設けた突起部６Ｃがこの溝部９Ｃに変位可能に係合して、カム筒９に円周状ギヤ６の回動を伝動する伝動機構１３を構成している。この構成により、照準調整のためにカム筒９を偏向しても突起部６Ｃと溝部９Ｃの係合を維持することができ、円周状ギヤ６の回動をカム筒９に伝動することができる。
なお、伝動機構は図示の実施例に限られず、カム筒９の外周に突起部を設け、円周状ギヤ６の内周に溝部を設け、突起部が溝部に変位可能に係合した構成にすることも可能である。
【００１９】
カム筒９の周側面には、２本の螺旋状のカム孔９Ａ，９Ｂを光軸Ｎに対しやや急傾斜をなす角度で設けてある。
また、内筒８内には、光軸Ｎと平行に案内孔８Ａを設けてあり、ズーム系レンズ１０Ａ，１０Ｂをその支持具１１Ａ，１１Ｂを介して移動可能に設けてある。支持具１１Ａのネジ１２Ａは、カム孔９Ａと案内孔８Ａの重なり合い部分に挿通してあり、カム筒９が回動したときのカム孔９Ａと案内孔８Ａの重なり合い部分の移動に従ってズーム系レンズ１０Ａが移動するようにしてある。同様に、支持具１２Ｂのネジ１２Ｂは、カム孔９Ｂと案内孔８Ａとの重なり合い部分に挿通してある。
【００２０】
上記構成のズーミング機構により、ズーム環５の回動は仲介ギヤ７を介して円周状ギヤ６に伝動され、更に円周状ギヤ６の回動は伝動機構１３を介してカム筒９に伝動される。カム筒９の回動は、ネジ１２Ａ，１２Ｂと支持具１１Ａ，１１Ｂとを介して、ズーム系レンズ１０Ａ，１０Ｂの光軸Ｎと平行な移動に変換されて、照準望遠鏡１のズーミングが作用する。かつ、ズーム環５の回動角度には制限がないから、カム筒９のカム孔９Ａ，９Ｂは光軸Ｎに対して急傾斜の角度に設けることができ、ズーム環５を小さなトルクで軽快に回動させることができる。
【００２１】
図１、図４及び図５に示すように、鏡胴本体２Ａの略中央には、照準望遠鏡１を銃身に装着したときの銃身の向きと照準望遠鏡１の光軸Ｎとを実際の射撃状態に照準調整するための照準調整機構２０を設けてある。
【００２２】
図示の実施例において、照準調整機構２０は、カム筒９を回動自在に支持するように設けた内筒８と、該内筒８の外周に設けたＲ環２４と、Ｒ環２４を上下左右方向に偏向可能に支持するように筒体２Ｂに設けたＲ環支持部材２５とからなる内筒支持機構２６を有している。Ｒ環２４は、球体をその中心を挟んだ平行な２平面で切り出した形状をなし、内筒８の接眼部４側の端部に設けてある。Ｒ環支持部材２５は、筒体２Ｂに固設した割環２５Ａとこの割環２５Ａの内周に螺合して設けた押え環２５Ｂとからなり、割環２５Ａと押え環２５ＢでＲ環２４を挟持するようにしてある。なお、内筒支持機構２６は、伝動機構１３における内筒８の変位を小さくすることができるように、伝動機構１３の近傍に設けてあることが好ましい。
【００２３】
また、照準調整機構２０は、偏角調整する左右照準調整環２１と、抑角調整可能な上下照準調整環２２と、光軸Ｎに対して左右照準調整環２１及び上下照準調整環２２と対向する位置に設けたコイルバネ２３とからなる。内筒８の対物レンズ１４側端部には、中間レンズ１５を有する支持筒体１６を連設してあり、左右照準調整環２１及び上下照準調整環２２を廻してこの支持筒体１６を押圧操作し、内筒８を内筒支持機構２６を中心に上下及び左右に偏向させることができるようにしてある。内筒８を偏向させることにより、内筒８に設けたズーム系レンズ１０Ａ，１０Ｂ及びカム筒９も偏向させて照準を調整することができる。
【図面の簡単な説明】
【００２４】
【図１】本発明照準望遠鏡の一実施例のズーミング機構を示す一部縦断側面図。
【図２】その一実施例の要部を示す一部欠切斜視図。
【図３】その一実施例の内部を示す一部欠切斜視図。
【図４】その一実施例を示す一部欠切斜視図。
【図５】その一実施例のＡ−Ａ線断面図。
【図６】従来の照準望遠鏡のズーミング機構を示す一部縦断側面図。
【図７】従来の照準望遠鏡のＢ−Ｂ線断面図。
【符号の説明】
【００２５】
１  照準望遠鏡
２  鏡胴
２Ａ  鏡胴本体
２Ｂ  筒体
２Ｃ  摺動面
３  小穴
４  接眼部
５  ズーム環
５Ａ  環状ギヤ
５Ｂ  ギヤ押え
６  円周状ギヤ
６Ａ  ギヤ部
６Ｂ  摺動面
６Ｃ  突起部
７  仲介ギヤ
８  内筒
８Ａ  案内孔
９  カム筒
９Ａ，９Ｂ  カム孔
９Ｃ  溝部
１０Ａ，１０Ｂ  ズーム系レンズ
１１Ａ，１１Ｂ  支持具
１２Ａ，１２Ｂ  ネジ
１３  伝動機構
１４  対物レンズ
１５  中間レンズ
１６  支持筒体
２０  照準調整機構
２１  左右照準調整環
２２  上下照準調整環
２３  コイルバネ
２４  Ｒ環
２５  Ｒ環支持部材
２５Ａ  割環
２５Ｂ  押え環
２６  内筒支持機構
５１  照準望遠鏡
５２  鏡胴
５３  筒体
５４  ズーム環
５５  環状ギヤ
５６  カム筒
５７  仲介ギヤ
５８  円周状ギヤ
５９  小穴
Ｎ  光軸
【図１】
2006010810.tif 000003
【図２】
2006010810.tif 000004
【図３】
2006010810.tif 000005
【図４】
2006010810.tif 000006
【図５】
2006010810.tif 000007
【図６】
2006010810.tif 000008
【図７】
2006010810.tif 000009